(57)【要約】  本発明は、電子レンジ内で食品を覆うためのトップフードに関する。トップフード（Ｈ１）は、側壁（ＳＷ）と頂部（ＴＰ）とを有するマイクロ波透過壁構造を備える。側壁（ＳＷ）と頂部（ＴＰ）は、当該トップフード（Ｈ１）によって覆われる内部領域（ＩＡ）を規定する。トップフード（Ｈ１）の壁構造に取り付けられる態様で、トップフード（Ｈ１）は、当該トップフード（Ｈ１）によって覆われた内部領域（ＩＡ）内の温度を測定するための温度センサ（ＴＳ）を備える。トップフードは、測定された温度情報を外部ディスプレイユニット（ＤＵ）に送信するための無線送信機（ＷＴ）を更に備える。
2020501104.tif 000002
【特許請求の範囲】
【請求項１】
電子レンジで食品を覆うためのトップフードであって、
当該トップフード（Ｈ１）は、側壁（ＳＷ）と頂部（ＴＰ）とを含むマイクロ波透過壁構造を備え、
前記側壁（ＳＷ）と前記頂部（ＴＰ）は、当該トップフード（Ｈ１）によって覆われる内部領域（ＩＡ）を規定し、
当該トップフード（Ｈ１）の前記壁構造に取り付けられる態様で、当該トップフード（Ｈ１）は、当該トップフード（Ｈ１）によって覆われる前記内部領域（ＩＡ）内の温度を測定するための温度センサ（ＴＳ）を備え、
当該トップフードは、測定された温度情報を外部ディスプレイユニット（ＤＵ）に送信するための無線送信機（ＷＴ）を更に備える
ことを特徴とするトップフード。
【請求項２】
前記温度センサ（ＴＳ）及び前記無線送信機（ＷＴ）は、センサユニット（ＳＵ）に所属している
ことを特徴とする請求項１に記載のトップフード。
【請求項３】
前記センサユニット（ＳＵ）は、当該トップフード（Ｈ１）の前記壁構造の前記頂部（ＴＰ）によって支持されている
ことを特徴とする請求項２に記載のトップフード。
【請求項４】
当該トップフード（Ｈ１）または前記センサユニット（ＳＵ）は、マイクロ波放射から前記センサユニット（ＳＵ）を保護するためのマイクロ波抵抗シールド（ＳＨ）を含んでいる
ことを特徴とする請求項２または３に記載のトップフード。
【請求項５】
前記温度センサ（ＴＳ）は、当該トップフード内の前記内部領域まで少なくとも部分的に延びており、
前記内部領域は、当該トップフードの前記側壁及び前記頂部によって画定されている
ことを特徴とする請求項１に記載のトップフード。
【請求項６】
前記センサユニットは、当該トップフードの非一体型の取り外し可能な部分である
ことを特徴とする請求項２に記載のトップフード。
【請求項７】
前記センサユニットは、当該トップフードの一体型の取り外し不可能な部分である
ことを特徴とする請求項２に記載のトップフード。
【請求項８】
当該トップフードまたはそのセンサユニットは、前記マイクロ波放射からエネルギーを生成することによって、前記センサユニットに電力を供給するためのセンサ（Ｓ２）を備える
ことを特徴とする請求項２に記載のトップフード。
【請求項９】
当該トップフードまたはそのセンサユニットは、電子レンジの起動時を検出するためのセンサ（ＳＩ）を備える
ことを特徴とする請求項２または３に記載のトップフード。
【請求項１０】
前記温度センサは、ＩＲセンサ（赤外線）である
ことを特徴とする請求項１に記載のトップフード。
【請求項１１】
電子レンジの起動時を検出するための前記センサ（ＳＩ）は、音感知センサ、マイクロ波の存在を感知するためのアンテナないし他のセンサ、光の存在を感知するためのセンサ、または、モーションセンサ、である
ことを特徴とする請求項９に記載のトップフード。
【請求項１２】
電子レンジの起動時を検出するための前記センサ（ＳＩ）は、前記センサユニット（ＳＵ）、または、前記センサユニット（ＳＵ）に含まれる前記温度センサ（ＴＳ）及び前記無線送信機（ＷＴ）、を起動するように結合されている
ことを特徴とする請求項９に記載のトップフード。
【請求項１３】
前記無線送信機（ＷＴ）は、光送信機、音響送信機、または、ＲＦ送信機、である
ことを特徴とする請求項１に記載のトップフード。
【請求項１４】
前記シールドの一部（ＳＨ）が、前記センサユニットにエネルギーを与えるための前記センサ（Ｓ２）を備える
ことを特徴とする請求項４及び８に記載のトップフード。
【請求項１５】
前記シールド（ＳＨ）は、導電性材料で作られたネットである
ことを特徴とする請求項４または１４に記載のトップフード。
【請求項１６】
前記シールド（ＳＨ）は、シールドされるマイクロ波放射の周波数帯域とは異なる周波数帯域において通過帯域を提供するようになっている
ことを特徴とする請求項４、１４または１５に記載のトップフード。
【請求項１７】
電子レンジ内で食品を覆うためのトップフード（Ｈ１）を備えた測定システムであって、
前記トップフード（Ｈ１）は、側壁（ＳＷ）と頂部（ＴＰ）とを含むマイクロ波透過壁構造を含み、
前記側壁（ＳＷ）と前記頂部（ＴＰ）は、当該トップフード（Ｈ１）によって覆われる内部領域（ＩＡ）を規定し、
前記トップフード（Ｈ１）の前記壁構造に取り付けられる態様で、前記トップフードは、前記トップフード（Ｈ１）によって覆われる前記内部領域（ＩＡ）内の温度を測定するための温度センサ（ＴＳ）を含み、
前記トップフード（Ｈ１）は、測定された温度情報をディスプレイユニット（ＤＵ）に送信するための無線送信機（ＷＴ）を更に含み、
前記ディスプレイユニット（ＤＵ）も、当該測定システムに含まれており、
前記ディスプレイユニット（ＤＵ）は、受信するように構成された無線受信機（ＷＲ）を含む
ことを特徴とする測定システム。
【請求項１８】
請求項２乃至１６のいずれかに記載のトップフードを有する
ことを特徴とする請求項１７に記載の測定システム。
【発明の詳細な説明】
【技術分野】
【０００１】
本発明は、電子レンジ内で加熱される食品を覆うための電子レンジフードに関する。トップフードが、電子レンジの内部で食物の上に置かれる。本発明はまた、測定システムに関している。
【背景技術】
【０００２】
ここで、食品とは、広く理解されるべきであり、固体形態の食品だけでなく、液体も含む。そして、栄養的な役割に加えて、加熱される食品の役割は、リフレッシング（気分をすっきりさせること）であり得る。
【０００３】
伝統的な電子レンジのトップフードは、プラスチックの壁構造を含んでおり、他には何も含んでいない。なぜなら、伝統的なトップフードは、加熱される物を覆うためだけに作られているからである。
【０００４】
一方で、電子レンジによって行われる加熱のプロセス／結果に関する幾つかの情報を提供する必要性が生じている。以前から知られている１つの方法は、電子レンジの屋根または電子レンジのケーシング内の空気管に、センサを一体化することである。しかしながら、このようなタイプの構造は、電子レンジ内の空気温度のみを検出することができるにとどまる。
【０００５】
前述の必要性に対処するための現在の試みは、十分に良好であるとは言えず、特にそれらは電子レンジに真に好適であるとも言えない。
【発明の概要】
【０００６】
本発明の目的は、前述の不利益を解消または軽減するために、新しいトップフード及び測定システムを提供することである。本発明の目的は、独立請求項に記載される内容によって特徴付けられるトップフード及び測定システムによって達成される。本発明の好ましい実施形態が、従属請求項に記載されている。
【０００７】
本発明は、電子レンジで使用されるトップフードに温度センサと無線送信機とを適用することに基づいており、前記送信機は、温度測定情報をディスプレイに送信するように結合されている。
【０００８】
本発明の利点は、加熱されるべき物（品目）の温度を見出すために、加熱されるべき物からの熱放射を監視（モニタリング）する可能性を、容易な方法で提供することである。
【０００９】
以下では、添付の図面を参照しながら、好ましい実施形態を用いて、本発明が更に詳細に説明される。
【図面の簡単な説明】
【００１０】
【図１】図１は、本発明の第１バージョンを示す。
【図２】図２は、エネルギーハーベスタ（追加のセンサ）を有する修正されたセンサユニットを備えた本発明の修正された第２バージョンを示す。
【発明を実施するための形態】
【００１１】
図１及び図２を参照すると、電子レンジ１０が示されている。電子レンジ１０の電力レベルは、例えば８００Ｗ〜１２００Ｗであり得る。電子レンジは、ヒンジ付きのドアＤと、当該ドアＤの後方のチャンバＣと、を備えている。チャンバＣは、食品（固体、液体）の品目／物品が、温められるまたは加熱されることを意図されている。
【００１２】
電子レンジ１０の内部に配置可能であるように、本発明の主要な要素であるトップフードＨ１がある。
【００１３】
トップフードＨ１は、例えば壁の厚さが０．５ｍｍ〜２ｍｍであるように、薄い壁のプラスチック材料で製造され得る。
【００１４】
トップフードＨ１は、電子レンジ１０内で食品Ｆを覆うためのものである。トップフードＨ１は、側壁ＳＷと頂部ＴＰとを含むマイクロ波透過壁構造ＷＳを備えている。当該壁構造の側壁ＳＷ及び頂部ＴＰは、トップフードによって覆われる内部領域ＩＡを画定する。勿論、内部領域ＩＡは、食品用である。食品Ｆは、電子レンジ内でチャンバＣに通常の方法で置かれ、好ましくは回転板（図示せず）の上に置かれ、その後、トップフードが食品Ｆを覆うように置かれる。
【００１５】
本発明に言及すると、トップフードは、当該トップフードＨ１の壁構造に取り付けられる態様で、トップフード（Ｈ１）によって覆われる内部領域ＩＡ内の温度を測定するための温度センサＴＳを備える。従って、実際上、温度センサＴＳは、食品Ｆの温度を測定している。
【００１６】
一実施形態では、温度センサＴＳの１つの可能性ある選択は、エクセリタステクノロジーズコーポレーション（Ｅｘｃｅｌｉｔａｓ  Ｔｃｈｎｏｌｏｇｉｅｓ  Ｃｏｒｐ．）から入手可能な、非接触式赤外線温度センサであり、当該センサタイプは、１００ｍｓの応答時間である。
【００１７】
加えて、トップフードＨ１は、測定された温度情報を外部ディスプレイユニットＤＵに送信するための無線送信機ＷＴを更に備えている。一実施形態では、無線送信機ＷＴは、光送信機、音響送信機、または、ＲＦ送信機である。音響送信機に関して、当該音響送信機のタイプは、可聴型または超音波型であり得る。
【００１８】
非限定的な一例として、無線送信機ＷＴの送信周波数は、約８００ＭＨｚであり得る。
【００１９】
ディスプレイユニットＤＵに言及すると、ディスプレイユニットは、ＬＣＤ素子などの実際の表示素子ＤＥに加えて、バッテリＢＤ、コントローラＣＮＴＲＬ-Ｄ、無線受信機ＷＲ、を含んでいる。コントローラＣＮＴＲＬ-Ｄは、ディスプレイユニットの動作を制御するように構成される。無線受信機のタイプは、無線送信機と合致するように選択される。
【００２０】
一実施形態では、コントローラＣＮＴＲＬ及びＣＮＴＲＬ-Ｄは、ＳＴマイクロエレクトロニクスから入手可能なＳＴＭ３２マイクロコントローラであり得る。
【００２１】
ディスプレイユニットＤＵは、電子レンジ１０の外側または内側に配置され得る。内側に配置される場合、表示機能の視認性要件のために、ディスプレイユニットＤＵは、電子レンジのドアＤの少なくとも部分的に透明な窓Ｗの後方に配置される。
【００２２】
ディスプレイユニットＤＵが電子レンジ１０の外側にある場合、ディスプレイユニットＤＵの位置はそれほど重要ではないが、特に無線送信機ＷＴが光送信機である場合には、センサユニットＳＵ内の無線送信機ＷＴとディスプレイユニット内の無線受信機ＷＲとの間に光路が存在するべきである。当該光路は、直接のものでも間接のものでもよい。間接の光路の場合、電子レンジ１０のチャンバＣの内壁は典型的には反射性であって、無線送信機ＷＴから送信される光信号が無線受信機ＷＲによって受信される前に内壁から反射され得る。
【００２３】
さらに、ディスプレイユニットＤＵは、ＢＴトランシーバ（ブルートゥース（登録商標）、低域ＲＦリンク）のようなトランシーバＴＲＸを含むことができる。トランシーバＴＲＸは、スマートフォンまたはタブレットなどのモバイル機器と通信することができる。モバイル機器内のアプリケーションが、食品Ｆの温度を追跡することができる。ユーザは、目標温度を設定することができる。その際、アプリケーションは、食品が当該設定温度を受け取ったことをユーザに報知する。
【００２４】
ディスプレイユニットＤＵが電子レンジの外側にある場合、広く使用されているＢＴトランシーバＴＲＸが使用され得る。ディスプレイユニットＤＵが電子レンジ１０の内側にある場合、前述と同様の送受信機方法（無線送信機ＷＴが、光送信機、音響送信機またはＲＦ送信機である場合）が使用され得る。この場合、センサユニットＳＵからの無線信号は、当該無線信号を検出可能に設計されているかまたは当該無線信号を検出可能なアクセサリユニットを有するモバイル機器によって検出され得ることが、明らかである。
【００２５】
一実施形態では、ＢＴトランシーバＴＲＸは、ノルディックセミコンダクタＡＳ（Ｎｏｒｄｉｃ  Ｓｅｍｉｃｏｎｄｕｃｔｏｒ  ＡＳ）から入手可能なモデルｎＲＦ５１８２２であり得る。実際、ｎＲＦ５１８２２は、内蔵されたＢＴ機能を有するマイクロコントローラである。
【００２６】
図１及び図２の左下隅に見られるように、温度センサＴＳ及び無線送信機ＷＴは、センサユニットＳＵに所属している。しかしながら、センサユニットＳＵは、バッテリＢ、コントローラＣＮＴＲＬ、第１の追加のセンサＳ１、及び、エネルギーハーベスタとも呼ばれ得る第２の追加のセンサＳ２、などの他の要素も含むことができる。センサＳ２は、図２に示されている。
【００２７】
第１の追加のセンサＳ１に関して、先に言及したように、一実施形態では、トップフードＨ１またはその関連センサユニットＳＵは、電子レンジ１０の起動時を検出するためのセンサＳ１を備える。一実施形態では、電子レンジ１０の起動時を検出するためのセンサＳ１は、音感知センサ、マイクロ波の存在を感知するためのアンテナないし他のセンサ、光の存在を感知するためのセンサ、または、フードＨ１が動かされる（食品の上に置かれる）ことあるいは電子レンジが食品Ｆのための回転プレートを有する場合にフードＨ１が回転していることを感知するためのモーションセンサ、である。
【００２８】
センサＳ１の役割は、電子レンジの起動時を検出するため当該センサＳ１が、センサユニットＳＵないしセンサユニットＳＵに含まれる温度センサＴＳ及び無線送信機ＷＴを作動させるように結合されることである。これにより、センサＳ１の出力が、温度センサＴＳ及び無線送信機ＷＴの動作を開始するためのトリガ効果をもたらす。
【００２９】
第２の追加のセンサＳ２に関して、先に言及したように、一実施形態では、トップフードＨ１またはその関連センサユニットＳＵは、マイクロ波放射からエネルギーを生成することによってセンサユニットＳＵにエネルギーを与えるためのセンサＳ２を備える。センサＳ２によって収集されるエネルギーは、測定、送信、及び／または、センサユニットＳＵ内のバッテリＢの充電、のために使用されるように構成される。センサユニットＳＵは、測定ユニットとも呼ばれ得る。
【００３０】
センサユニットＳＵを含むトップフードＨ１に戻ると、センサユニットＳＵは、トップフードＨ１の壁構造の頂部ＴＰによって支持されている。
【００３１】
一体化のレベルに関しては、２つの可能性がある。一実施形態では、センサユニットＳＵは、トップフードＨ１の非一体型の取り外し可能な部分である。この場合、センサユニットＳＵは、容易に取り外しが可能な追加ユニットの一種であり得る。代替的に、センサユニットＳＵは、トップフードの一体型の取り外し不可能な部分である。この場合、センサユニットＳＵは、プラスチック材料からトップフードＨ１を成形ないし他の態様で製造するときにトップフードＨ１に一体化され得る。
【００３２】
更なる実施形態では、トップフードＨ１またはセンサユニットＳＵは、センサユニットＳＵをマイクロ波放射から保護するためのマイクロ波抵抗シールドＳＨを備える。この場合、測定動作及び送信がマイクロ波によって干渉されないので、有益である。特にセンサユニットＳＵがフードＨ１から取り外し可能であるとき、シールドＳＨはセンサユニットＳＵ自体によって含まれる。
【００３３】
シールドＳＨの好ましい実施形態に言及すると、シールドＳＨは導電性材料で作られたネットである。一実施形態では、シールドＳＨの材料は、鋼またはアルミニウムである。
【００３４】
シールドＳＨの設計は、それがマイクロ波放射周波数帯域とは異なる周波数帯域で通過帯域を提供するようなものである。非限定的な例として、通過帯域は８００ＭＨｚであり得て、阻止帯域（遮蔽帯域）は約２．４５ＧＨｚであり得る。
【００３５】
シールドＳＨは、センサユニットＳＵのための空洞の形態であり得る。シールドＳＨは、光無線送信機ＷＴによって送信される光信号用の１つまたは複数の光窓を有し得る。当該光窓は、シールドＳＨ内の穴または透明領域であり得る。
【００３６】
センサユニットＳＵがシールドの内側の送信機からの光をシールドの外側に導く特別な導光体を有することも可能である。当該導光体は、トップフードＨ１の頂部を通して光を更に導くことができる。
【００３７】
シールドＳＨはまた、音響送信機によって送信される音響信号用の１つまたは複数の音響窓を有し得る。当該音響窓は、シールドＳＨ内の穴またはより薄い領域であり得る。シールドＳＨは、それが特別な窓なしに音響信号を通過させることができるように設計されることもできる。
【００３８】
一実施形態では、温度センサの位置に言及すると、温度センサＴＳは、トップフードＨ１内の内部領域ＩＡまで少なくとも部分的に延在し、前記内部領域は、トップフードＨ１の側壁ＳＷ及び頂部ＴＰによって画定されている。
【００３９】
前述の２つの好適な実施形態の組み合わせとして、シールドＳＨの一部は、センサユニットＳＵにエネルギーを与えるためのセンサＳ２２を含む。センサＳ２２は、シールドＳＨ内の穴または開口部であり得て、当該穴／開口部がシールドＳＨ内で縁部によって囲まれ得る。
【００４０】
電子レンジ用のトップフードＨ１に加えて、本発明は、測定システムにも関連し得る。当該測定システムの重要な要素は、前述されたようなトップフードＨ１とディスプレイユニットＤＵである。
【００４１】
技術が進歩するにつれて、本発明の概念が様々な方法で実施され得ることは、当業者には明らかであろう。本発明及びその実施形態は、前述の例に限定されず、特許請求の範囲内で変わり得る。
【図１】
2020501104.tif 000003
【図２】
2020501104.tif 000004
【国際調査報告】
2020501104.tif 000005
2020501104.tif 000006
2020501104.tif 000007
2020501104.tif 000008